(57)【特許請求の範囲】
【請求項１】
データとこのデータを識別するための第１の識別情報とを対応付けて記憶する第１の記憶手段を備えた外部記録装置と、前記第１の識別情報を複数記憶する第２の記憶手段を備えた管理装置とからなる外部記録装置管理システムにおいて、
前記管理装置は、
前記第２の記憶手段に複数記憶されている第１の識別情報から特定の第１の識別情報を選択する選択手段と、
この選択手段によって選択された第１の識別情報を無線信号で発信する発信手段と、
を更に備え、
前記外部記録装置は、
前記発信手段によって発信された第１の識別情報を受信する受信手段と、
この受信手段によって受信された第１の識別情報と前記第１の記憶手段に記憶されている識別情報とが一致するか否かを判断する判断手段と、
この判断手段によって一致したと判断された場合、前記受信手段によって受信された前記第１の識別情報の受信強度を検出する検出手段と、
発光手段と、
音声出力手段と、
前記検出手段によって検出された受信強度を前記外部記録装置と前記管理装置との距離に関連するものとして、前記発光手段、及び、前記音声出力手段の動作を制御する制御手段と、
を更に備えたことを特徴とする外部記録装置管理システム。
【請求項２】
データとこのデータを識別するための第１の識別情報を対応付けて記憶する第１の記憶手段を備えた外部記録装置と、前記第１の識別情報を複数記憶する第２の記憶手段を備えた管理装置とからなる外部記録装置管理システムにおいて、
前記管理装置は、
前記第２の記憶手段に複数記憶されている第１の識別情報から特定の第１の識別情報を選択する選択手段と、
この選択手段によって選択された第１の識別情報を無線信号で発信する第１の発信手段と、
を更に備え、
前記外部記録装置は、
前記第１の発信手段によって発信された第１の識別情報を受信する第１の受信手段と、
この第１の受信手段によって受信された第１の識別情報と前記第１の記憶手段に記憶されている第１の識別情報とが一致するか否かを判断する判断手段と、
バッテリと、
このバッテリの残量を検出する残量検出手段と、
前記判断手段によって一致したと判断された場合、前記第１の受信手段によって受信された第１の識別情報と前記残量検出手段によって検出されたバッテリ残量とを発信する第２の発信手段と、
を更に備え、
前記管理装置は、
前記第２の発信手段によって発信された第１の識別情報と前記バッテリ残量とを受信する第２の受信手段と、
撮像手段と、
この第２の受信手段によって受信された第１の識別情報の受信強度を検出する検出手段と、
前記撮影手段によって撮影された映像をスルー画像として表示するとともに、前記検出手段によって検出された受信強度と前記第２の受信手段によって受信されたバッテリ残量とを、このスルー画像に重畳表示する表示手段と、
を更に備えたことを特徴とする外部記録装置管理システム。
【請求項３】
前記第１の識別情報は、前記データの概要情報であることを特徴とする請求項１又は２に記載の外部記録装置管理システム。
【請求項４】
データとこのデータを識別するための識別情報とを対応付けて記憶する記憶部と無線受信部と、発光部と、音声出力部とを備える外部記録装置が有するコンピュータを、
前記無線通信部に対し、識別情報を受信させる受信手段、
この受信手段によって受信された識別情報と前記記憶手段に記憶されている識別情報とが一致するか否かを判断する判断手段、
この判断手段によって一致したと判断された場合、前記受信手段によって受信された識別情報の受信強度を検出する検出手段、
この検出手段によって検出された受信強度を当該外部記録装置と前記識別情報を送信した機器との距離に関連するものとして、前記発光部、及び、前記音声出力部の動作を制御する制御手段、
として機能させることを特徴とするプログラム。
【請求項５】
データとこのデータを識別するための識別情報を対応付けて記憶する第１の記憶部と、バッテリと、バッテリ残量を検出する検出部と、を備えた外部記録装置を管理し、前記識別情報を複数記憶する第２の記憶部と、無線通信部と、撮像部と、表示部とを備えた管理装置が有するコンピュータを、
前記第２の記憶部に複数記憶されている識別情報から特定の識別情報の選択を検出する選択検出手段、
この選択検出手段によって選択された識別情報を前記無線通信部に発信させる発信手段、
この発信手段による発信に応答して前記外部記録装置が発信した識別情報と検出されたバッテリ残量とを前記無線通信部に受信させる受信手段、
この受信手段によって受信された識別情報の受信強度を検出する検出手段、
前記撮影部にて撮影された映像をスルー画像とし、前記検出手段によって検出された受信強度と前記受信手段によって受信されたバッテリ残量とを、このスルー画像に重畳表示するよう前記表示部を制御する表示制御手段、
として機能させることを特徴とするプログラム。
【発明の詳細な説明】
【技術分野】
【０００１】
本発明は、外部記録媒体管理システム、及び、プログラムに関する。
【背景技術】
【０００２】
従来より、メモリカードを複数収納するカードケースにおいて、入力部により概要を入力すると、この概要に対応するデータを格納するメモリカードを検索する技術が提案されている（例えば、特許文献１参照）。
【０００３】
【特許文献１】特開２００２−２７８９７６号公報
【発明の開示】
【発明が解決しようとする課題】
【０００４】
しかしながら、上記従来技術では、カードケースに収納されているメモリカードに対しては有効であるが、周囲環境に散在するメモリカードについては、検索することができないので、ユーザは、メモリカードを拾い集めて１つずつメモリカードに記録されているデータを確認する作業が必要になるという問題があった。
【０００５】
そこで本発明は、所望するデータが周囲に散在する外部記録装置のどれに保存されているかを容易に確認することができる外部記録媒体管理システム、及び、プログラムを提供することを目的とする。
【課題を解決するための手段】
【０００６】
上記目的達成のため、請求項１記載の発明は、データとこのデータを識別するための第１の識別情報とを対応付けて記憶する第１の記憶手段を備えた外部記録装置と、前記第１の識別情報を複数記憶する第２の記憶手段を備えた管理装置とからなる外部記録装置管理システムにおいて、前記管理装置は、前記第２の記憶手段に複数記憶されている第１の識別情報から特定の第１の識別情報を選択する選択手段と、この選択手段によって選択された第１の識別情報を無線信号で発信する発信手段と、を更に備え、前記外部記録装置は、前記発信手段によって発信された第１の識別情報を受信する受信手段と、この受信手段によって受信された第１の識別情報と前記第１の記憶手段に記憶されている識別情報とが一致するか否かを判断する判断手段と、この判断手段によって一致したと判断された場合、前記受信手段によって受信された前記第１の識別情報の受信強度を検出する検出手段と、発光手段と、音声出力手段と、前記検出手段によって検出された受信強度を前記外部記録装置と前記管理装置との距離に関連するものとして、前記発光手段、及び、前記音声出力手段の動作を制御する制御手段と、を更に備えたことを特徴とする。
【０００７】
上記目的達成のため、請求項２記載の発明は、データとこのデータを識別するための第１の識別情報を対応付けて記憶する第１の記憶手段を備えた外部記録装置と、前記第１の識別情報を複数記憶する第２の記憶手段を備えた管理装置とからなる外部記録装置管理システムにおいて、前記管理装置は、前記第２の記憶手段に複数記憶されている第１の識別情報から特定の第１の識別情報を選択する選択手段と、この選択手段によって選択された第１の識別情報を無線信号で発信する第１の発信手段と、を更に備え、前記外部記録装置は、前記第１の発信手段によって発信された第１の識別情報を受信する第１の受信手段と、この第１の受信手段によって受信された第１の識別情報と前記第１の記憶手段に記憶されている第１の識別情報とが一致するか否かを判断する判断手段と、バッテリと、このバッテリの残量を検出する残量検出手段と、前記判断手段によって一致したと判断された場合、前記第１の受信手段によって受信された第１の識別情報と前記残量検出手段によって検出されたバッテリ残量とを発信する第２の発信手段と、を更に備え、前記管理装置は、前記第２の発信手段によって発信された第１の識別情報と前記バッテリ残量とを受信する第２の受信手段と、撮像手段と、この第２の受信手段によって受信された第１の識別情報の受信強度を検出する検出手段と、前記撮影手段によって撮影された映像をスルー画像として表示するとともに、前記検出手段によって検出された受信強度と前記第２の受信手段によって受信されたバッテリ残量とを、このスルー画像に重畳表示する表示手段と、を更に備えたことを特徴とする。
【００１０】
また、請求項３記載の発明は、上記請求項１又は２記載の発明において、前記第１の識別情報は、前記データの概要情報であることを特徴とする。
【００１１】
また、上記目的達成のため、請求項４記載の発明は、データとこのデータを識別するための識別情報とを対応付けて記憶する記憶部と無線受信部と、発光部と、音声出力部とを備える外部記録装置が有するコンピュータを、前記無線通信部に対し、識別情報を受信させる受信手段、この受信手段によって受信された識別情報と前記記憶手段に記憶されている識別情報とが一致するか否かを判断する判断手段、この判断手段によって一致したと判断された場合、前記受信手段によって受信された識別情報の受信強度を検出する検出手段、この検出手段によって検出された受信強度を当該外部記録装置と前記識別情報を送信した機器との距離に関連するものとして、前記発光部、及び、前記音声出力部の動作を制御する制御手段、として機能させることを特徴とする。
【００１２】
また、上記目的達成のため、請求項５記載の発明は、データとこのデータを識別するための識別情報を対応付けて記憶する第１の記憶部と、バッテリと、バッテリ残量を検出する検出部と、を備えた外部記録装置を管理し、前記識別情報を複数記憶する第２の記憶部と、無線通信部と、撮像部と、表示部とを備えた管理装置が有するコンピュータを、
前記第２の記憶部に複数記憶されている識別情報から特定の識別情報の選択を検出する選択検出手段、この選択検出手段によって選択された識別情報を前記無線通信部に発信させる発信手段、この発信手段による発信に応答して前記外部記録装置が発信した識別情報と検出されたバッテリ残量とを前記無線通信部に受信させる受信手段、この受信手段によって受信された識別情報の受信強度を検出する検出手段、前記撮影部にて撮影された映像をスルー画像とし、前記検出手段によって検出された受信強度と前記受信手段によって受信されたバッテリ残量とを、このスルー画像に重畳表示するよう前記表示部を制御する表示制御手段、として機能させることを特徴とする。
【発明の効果】
【００１３】
本発明によれば、所望するデータが周囲に散在する外部記録装置のどれに保存されているかを容易に確認することができるという利点が得られる。
【発明を実施するための最良の形態】
【００１４】
以下、本発明の実施の形態を、図面を参照して説明する。
【００１５】
Ａ．第１実施形態
Ａ−１．第１実施形態の構成
図１は、本発明の第１実施形態による外部記録媒体管理システムの構成を示すブロック図である。図において、本第１実施形態では、外部記録媒体として、周辺に配置された複数のＨＤＤレコーダ１−１〜１−５を想定し、管理装置として、記憶部（図示略：後述）、選択ツール５−１、表示部５−２、無線部（図示略：後述）などを備えるメディア再生装置５を想定している。ＨＤＤレコーダ１−１〜１−５は、複数のデータを記録している記憶媒体（図示略：後述）、ＬＥＤ２−１〜２−５、スピーカ３−１〜３−５などの報知部、無線部（図示略：後述）などを備えている。
【００１６】
メディア再生装置５は、各ＨＤＤレコーダ１−１〜１−５に記録されているデータのサムネイルや、該データの概要データ（ファイル名や、コメントなど）を記憶部に記憶しており、表示部５−２に表示された、サムネイルや、概要データを選択ツール５−１で選択すると、無線部から選択されたサムネイルのオリジナルデータを記録しているＨＤＤレコーダの識別情報や、選択された概要データを送信する。各ＨＤＤレコーダ１−１〜１−５は、無線部によりメディア再生装置５からの識別情報や概要データなどを受信すると、それらが自己のものであるか判断し、自己のものである場合、ＬＥＤ２−１〜２−５、スピーカ３−１〜３−５などの報知部を動作させるようになっている。
【００１７】
図２は、本第１実施形態による管理装置であるメディア再生装置５の構成を示すブロック図である。図において、無線部５−４は、上述したＨＤＤレコーダ１−１〜１−５との間でデータの送受信を行う。ＲＯＭ５−５は、プログラムや、所定のパターメータなどを記憶する。ＲＡＭ５−６は、後述するＣＰＵ５−１３の動作に伴う各種データやパラメータなどを記憶する。特に、本第１実施形態では、ＲＡＭ５−６には、ＨＤＤレコーダ１−１〜１−５を識別する識別情報５−６−１、ＨＤＤレコーダ１−１〜１−５に保存されているデータのサムネイル５−６−２及び概要データ（ファイル名、コメントなど）５−６−３を記憶する。
【００１８】
表示制御部５−７は、後述するＣＰＵ５−１３の制御の下、各種データ、グラフィックスなどを表示させるべく表示部５−２を駆動制御する。表示部５−２は、液晶表示器などからなり、表示制御部５−７の制御により各種データ、グラフィックスなどを表示する。タッチパネル５−８は、表示部５−２の表面に設けられ、図１に示す選択ツール５−１のタッチ（ユーザの指なでもよい）に応じて、表示部５−２に表示されたデータや画像と連動させて、動作指示を行う。操作部５−９は、電源スイッチや、動作指示を行うための各種キーなどからなる。
【００１９】
カードインターフェース部５−１０は、装着された、コンパクトフラッシュ（登録商標）カード、ＳＤカードなどの外部記録媒体との間でデータの送受信を行う。電源制御部５−１１は、電源５−１２を各部に供給する。電源５−１２は、二次電池などの充電可能なバッテリからなる。ＣＰＵ５−１３は、ＲＯＭ５−５に記憶されているプログラムを実行し、各部の動作を制御する。特に、本第１実施形態では、ＣＰＵ５−１３は、サムネイル５−６−２の一覧表示や、選択されたサムネイルに対応するＨＤＤレコーダの識別情報及び概要データの送信などを行う。
【００２０】
図３は、本第１実施形態によるＨＤＤレコーダ１−１〜１−５の構成を示すブロック図である。なお、以下では、ＨＤＤレコーダ１−１〜１−５を総称してＨＤＤレコーダ１として説明する。図において、無線部１０−１は、管理装置であるメディア再生装置５との間でデータの送受信を行う。チューナ部１０−２は、ＯＦＤＭ方式により変調された一放送局あたり５．５７ＭＨｚの帯域（１セグメントあたり４２９ＫＨｚ）で１３セグメントに分割された搬送波のうち、中央の１セグメント以外の、１２セグメントのＭＰＥＧ−２（ＴＳ）のデータを受信／復調する。
【００２１】
管理情報記憶部１０−３は、自己を識別するための固有の識別情報１０−３−１を記憶する。制御部１０−４は、所定のプログラムに従って、各部を制御する。特に、本実施形態では、制御部１０−４は、本第１実施形態では、メディア再生装置５から識別情報や概要データを受信すると、それらが自己の識別情報と一致するか、あるいは概要データを含むオリジナルデータが存在するかを判断し、一致したり存在したりする場合、報知部である、後述するＬＥＤ１０−１５−１（ＬＥＤ２−１〜２−５に相当）、スピーカ１０−１４−１（スピーカ３−１〜３−５に相当）を動作させるようになっている。
【００２２】
ＭＰＥＧ−２（ＴＳ）復号化回路１０−５は、チューナ部１０−２により受信／復調されたＭＰＥＧ−２（ＴＳ）ファイルのＴＳに従って、ビデオデータやオーディオデータ、データ放送用の各種データをデコードする。映像処理部１０−６は、出力すべき機器（ＴＶ、ビデオモニタ、ＰＣ等）に応じて映像を最適化する。音声処理部１０−７は、出力すべき機器（ＴＶ、ビデオモニタ、ＰＣ等）に応じて音声を最適化する。
【００２３】
ＡＶ  Ｉ／Ｏ１０−８は、映像処理部１０−６からの映像、音声処理部１０−７からの音声をテレビへ出力する。操作部１０−９は、リモートコントローラを含み、チャンネルボタン、音量ボタン、電源ボタン、再生、録画、巻き戻し、早送り、一時停止などを備えている。書き込み／読み出し処理部１０−１０は、ＤＶＤメディア１０−１１へＭＰＥＧ−２形式のデータを記録する一方、ＤＶＤメディア１０−１１に記録されているＭＰＥＧ−２形式のデータを読み出す。
【００２４】
記録媒体（ＨＤＤ）１０−１２は、ＭＰＥＧ−２形式の録画データや、所定の形式（ＪＰＥＧ、ＴＩＦＦなど）の静止画データを記録する。ＲＡＭ１０−１３は、制御部１０−４のワーキングエリア、各種データの一時記録エリア、パラメータの記録エリア等からなる。
【００２５】
スピーカ駆動部１０−１４は、制御部１０−４の制御の下、スピーカ１０−１４−１を鳴動させる。ＬＥＤ駆動部１０−１５は、制御部１０−４の制御の下、ＬＥＤ１０−１５−１の点灯・消灯を制御する。より具体的には、ＬＥＤ１０−１５−１、スピーカ１０−１４−１は、メディア再生装置５から受信した識別情報や概要データと、自己の識別情報と一致するか、あるいはオリジナルデータが概要データを含む場合に動作するようになっている。Ｉｒ通信処理部１０−１６は、Ｉｒ通信可能な外部装置の間で、赤外線発光ＬＥＤ１０−１６−１、受光部１０−１６−２を用いて、赤外線通信によりデータを送受信する。
【００２６】
図４は、本第１実施形態による管理装置であるメディア再生装置５のＲＡＭ５−６内のデータ構成例を示す概念図である。メディア再生装置５のＲＡＭ５−６には、外部記録装置であるＨＤＤレコーダ１−１〜１−５の識別情報５−６−１と、それぞれのＨＤＤレコーダ１−１〜１−５に保存されているオリジナルデータのサムネイル５−６−２、及び、オリジナルデータの概要データ５−６−３が記憶されている。概要データ５−６−３は、各オリジナルデータのファイル名５−６−４や、各オリジナルデータに付加されたテキスト列であるコメントタグ内容５−６−５などからなる。なお、コメントタグ内容５−６−５は、メディア再生装置５にデータを登録する際などに取得、作成するが、登録時点で取得されなかった場合には、検索時にユーザ操作により検索キーワードとして入力されてもよい。
【００２７】
図５は、本第１実施形態によるＨＤＤレコーダ１の記録媒体１０−１２内のデータ構成例を示す概念図である。ＨＤＤレコーダ１の記録媒体１０−１２には、動画データや静止画データなどが記録されているが、基本的に、各データは、サムネイル１０−１２−１、コメント１０−１２−２、オリジナルデータ１０−１２−３からなる。サムネイル１０−１２−１は、オリジナルデータ１０−１２−３の代表静止画、あるいは縮小画像である。コメント１０−１２−２は、オリジナルデータ１０−１２−３の内容を表すユーザ入力されたテキスト列である。オリジナルデータ１０−１２−３は、動画データや静止画データなどの各種データである。図示の例では、サムネイル１０−１２−１、コメント１０−１２−２、オリジナルデータ１０−１２−３が１つのファイルとして保存されているが、それぞれ関連付けられた異なるファイルとして保存されていてもよい。
【００２８】
Ａ−２．第１実施形態の動作
次に、上述した第１実施形態の動作について説明する。
図６は、本第１実施形態による管理装置であるメディア再生装置５の動作を説明するためのフローチャートである。メディア再生装置５では、まず、ユーザ操作に応じて、サムネイルを表示部５−２に一覧表示し（ステップＳ１０）、操作部５−９あるいは選択ツール５−１による、いずれかのサムネイルの選択操作が検出されたか否かを判断し（ステップＳ１２）、選択操作が検出されない場合には、ステップＳ１０に戻る。一方、いずれかのサムネイルを選択する選択操作が検出された場合には、ＲＡＭ５−６から、選択されたサムネイルに対応する、ＨＤＤレコーダの識別情報及び概要データを読み出し（ステップＳ１４）、該ＨＤＤレコーダの識別情報及び概要データを、無線部５−４から送信して該当ＨＤＤレコーダ１を呼び出す（ステップＳ１６）。その後、ステップＳ１０に戻り、上述した動作を繰り返す。
【００２９】
なお、上述した処理において、一覧表示されたサムネイルからいずれかのサムネイルを選択するのではなく、直接、概要データ（ファイル名や、テキスト文字列）の一覧を表示させ、該概要データの一覧から、所望する概要データを選択するか、概要データを直接入力してもよい。この場合、ＨＤＤレコーダの識別情報は送信されず、概要データのみが送信されることになる。
【００３０】
図７は、本第１実施形態による外部記録装置であるＨＤＤレコーダ１の動作を説明するためのフローチャートである。ＨＤＤレコーダ１では、まず、無線部１０−１により、メディア再生装置５からの呼び出しがあったか否かを判断し（ステップＳ２０）、呼び出しがあった場合には、受信した識別情報及び概要データと、自己の識別情報及び概要データとを照合し（ステップＳ２２）、双方が一致したか否かを判断する（ステップＳ２４）。
【００３１】
なお、上述したように、概要データのみを受信した場合には、自己に記録保存しているデータの概要データの中に、受信した概要データが存在するか否かを判断すればよい。
【００３２】
そして、双方が一致した場合には、受信信号の受信強度を解析し（ステップＳ２６）、受信強度が所定の閾値以上であるか否かを判断し（ステップＳ２８）、受信強度が閾値以上である場合、すなわちメディア再生装置５に近接している場合には、ＬＥＤ１０−１５−１（図１の２−１〜２−５に相当）を発光させ（ステップＳ３０）、受信強度が閾値以上でない場合、すなわちメディア再生装置５からある程度離れている場合には、スピーカ１０−１４−１（図１のスピーカ３−１〜３−５に相当）を鳴動させる（ステップＳ３２）。その後、ステップＳ２０に戻り、上述した動作を繰り返す。
【００３３】
また、上述したように、概要データのみを送受信した場合、特に、概要データがテキスト列である場合には、複数のＨＤＤレコーダに存在する可能性がある。例えば、メディア再生装置５のユーザが「遠足」に関するデータがどのＨＤＤレコーダに保存されているかを知りたい場合、ユーザは、「遠足」と入力することになる。この場合、コメントタグに「遠足」と登録されているデータが保存されている、ＨＤＤレコーダ１が複数存在すれば、該当する全てのＨＤＤレコーダでＬＥＤ１０−１５−１またはスピーカ１０−１４−１で報知される。
【００３４】
上述した第１実施形態によれば、メディア再生装置５で選択された概要データのオリジナルデータを保存しているＨＤＤレコーダ１は、メディア再生装置５からの呼び出しの受信強度が閾値以上である場合、すなわちメディア再生装置５との距離が近い場合には、ＬＥＤ１０−１５−１を発光させることで報知し、メディア再生装置５からの呼び出しの受信強度が閾値以上でない場合、すなわちメディア再生装置５との距離が遠い場合には、スピーカ１０−１４−１を鳴動させることで報知するようにしたので、ユーザは、所望するオリジナルデータを保存しているＨＤＤレコーダ１がどれであるかを容易に確認することができる。
【００３５】
Ｂ．第２実施形態
次に、本発明の第２実施形態について説明する。
図８は、本第２実施形態による外部記録媒体管理システムの構成を示すブロック図である。図において、本第２実施形態では、外部記録媒体として、周辺（図示の例ではテーブル上）に造作なく置かれた複数の外部記録媒体２０−１〜２０−８を想定し、管理装置として、ＲＦＩＤリーダ、撮像部、表示部３０−１などを備えたデジタルカメラ３０を想定している。外部記録媒体２０−１〜２０−８は、複数のデータを記録している記憶部（図示略：後述）、ＲＦＩＤタグ（図示略：後述）などを備えている。
【００３６】
デジタルカメラ３０は、各外部記録媒体２０−１〜２０−８に記録されているデータのサムネイルや、概要データを記憶部に記憶しており、表示部３０−１に表示された、これらのサムネイルのいずれかを選択すると、ＲＦＩＤリーダから該概要データを保存している外部記録媒体を識別する識別情報と概要データとを送信する。各外部記録媒体２０−１〜２０−８は、ＲＦＩＤタグによりデジタルカメラ３０からの無線信号を受信すると、該無線信号から電力を取り出して起動し、同時に受信した識別情報と概要データが自己のものであるか判断し、自己のものである場合、受信した識別情報と概要データとを返信する。デジタルカメラ３０は、ＲＦＩＤリーダにより、上記識別情報と概要データとを受信すると、受信強度を解析し、該受信強度に従って該当する外部記録媒体との距離を推定し、撮像部により撮影した複数の外部記録媒体２０−１〜２０−８をスルー表示している表示部３０−１の画面上で該当する領域を強調表示するようになっている。
【００３７】
図９は、本第２実施形態によるデジタルカメラの略構成を示すブロック図である。図において、ＲＦＩＤリーダ３０−２は、上述した外部記録媒体２０−１〜２０−８との間でデータの送受信を行う。撮像部３０−３は、光学系、ＣＣＤ（もしはＣＭＯＳ）などを有し、被写体を撮影する。特に、本第２実施形態では、散在する外部記録媒体２０−１〜２０−８を撮影する。ＲＯＭ３０−４は、プログラムや、所定のパターメータなどを記憶する。ＲＡＭ３０−５は、後述するＣＰＵ３０−９の動作に伴う各種データやパラメータなどを記憶する。特に、本第２実施形態では、ＲＡＭ３０−５には、外部記録媒体を識別する識別情報３０−５−１、サムネイル３０−５−２及び概要データ（ファイル名、コメントなど）３０−５−３を記憶する。
【００３８】
表示制御部３０−６は、後述するＣＰＵ３０−９の制御の下、撮像部３０−３により撮像された映像や、各種データ、グラフィックスなどを表示させるべく表示部３０−１を駆動制御する。表示部３０−１は、液晶表示器などからなり、表示制御部３０−６の制御により、撮像部３０−３により撮像された映像や、各種データ、グラフィックスなどを表示する。操作部３０−７は、電源スイッチや、動作指示、表示部３０−１に表示されたサムネイルを選択するための各種キーなどからなる。
【００３９】
カードインターフェース部３０−８は、装着された、コンパクトフラッシュ（登録商標）カード、ＳＤカードなどの外部記録媒体との間でデータの送受信を行う。ＣＰＵ３０−９は、ＲＯＭ３０−４に記憶されているプログラムを実行し、各部の動作を制御する。特に、本第２実施形態では、ＣＰＵ３０−９は、サムネイルの一覧表示制御、選択されたサムネイルに対応する外部記録媒体の識別情報及び概要データの送信、該識別情報及び概要データに対する該当外部記録媒体からの返信信号の受信強度の解析、スルー表示されている外部記録媒体に重畳させた、受信強度に応じた該当外部記録媒体との距離に該当する領域の強調表示などを行う。
【００４０】
図１０は、本第２実施形態による外部記録媒体２０−１〜２０−８の構成を示すブロック図である。なお、以下では、外部記録媒体２０−１〜２０−８を総称して外部記録媒体２０として説明する。図において、ＲＦＩＤタグ４０−１は、デジタルカメラ３０からの無線信号を受信すると、該無線信号から動作用の電力を取り出すとともに、同時に受信した識別情報と概要データとをＣＰＵ４０−４に供給する。ＲＯＭ４０−２は、プログラムや、所定のパターメータ、自己を識別するための固有の識別情報４０−２−１などを記憶する。
【００４１】
ＲＡＭ４０−３は、後述するＣＰＵ４０−４の動作に伴う各種データやパラメータ、デジタルカメラ３０で書き込まれたデータ（オリジナル）４０−３−１、４０−３−２、…を記憶する。該データには、第１実施形態と同様に、概要データが含まれている。ＣＰＵ４０−４は、ＲＯＭ４０−２に記憶されているプログラムを実行し、各部の動作を制御する。特に、本第２実施形態では、ＣＰＵ４０−４は、デジタルカメラ３０から受信した識別情報と概要データとが自己のものであるか判断し、自己のものである場合、識別情報と概要データとをＲＦＩＤタグ４０−１から返信するという一連の処理を行う。
【００４２】
Ｂ−２．第２実施形態の動作
次に、上述した第２実施形態の動作について説明する。
図１１は、本第２実施形態による管理装置であるデジタルカメラ３０の動作を説明するためのフローチャートである。デジタルカメラ３０では、まず、ユーザ操作に応じて、サムネイルを表示部に一覧表示し（ステップＳ４０）、操作部３０−７でいずれかのサムネイルを選択する選択操作が検出されたか否かを判断し（ステップＳ４２）、選択操作が検出されない場合には、ステップＳ４０に戻る。
【００４３】
一方、いずれかのサムネイルを選択する選択操作が検出された場合には、撮像部３０−３からの映像を表示部３０−１にそのまま出力するスルー画像表示とする（ステップＳ４４）。したがって、表示部３０−１には、図１３に示すように、テーブル上に散在する外部記録媒体２０−１〜２０−８が表示される。このとき、近いほど手前（下側）に、遠いほど奥側（上側）に表示される。その後、ＲＡＭ３０−５から、選択されたサムネイルに対応する、外部記録媒体の識別情報及び概要データを読み出し（ステップＳ４６）、上記識別情報と概要データとを、ＲＦＩＤリーダ３０−２から送信する（ステップＳ４８）。
【００４４】
なお、上述した処理において、一覧表示されたサムネイルからいずれかを選択するのではなく、概要データ（ファイル名や、テキスト文字列）の一覧を表示させ、該概要データの一覧から、所望する概要データを選択するようにしてもよい。この場合、外部記録媒体の識別情報は送信されず、概要データのみが送信されることになる。
【００４５】
次に、いずれかの外部記録媒体から返信があったか否か（送信した識別情報と概要データとを受信したか否か）を判断し（ステップＳ５０）、返信がない場合には、タイムアップしたか否かを判断し（ステップＳ５２）、タイムアップしていない場合には、ステップＳ５０に戻って返信を待つ。そして、返信がなく、タイムアップした場合には、該当外部記録媒体が近傍にないと判断し、その旨を表示部３０−１に表示し（ステップＳ５４）、当該処理を終了する。
【００４６】
一方、外部記録媒体２０−１〜２０−８のいずれかから返信（送信した識別情報と概要データ）があった場合には、識別情報と概要データとを受信し（ステップＳ５６）、その受信強度を解析し（ステップＳ５８）、図１４に示すように、表示部３０−１にスルー表示されている外部記録媒体２０−１〜２０−８上に、受信強度に応じた該当外部記録媒体との距離に相当する領域１００を強調表示（斜線部分）する（ステップＳ６０）。図示の例では、強調表示された領域に位置する外部記録媒体２０−３、２０−４、２０−５のいずれかが選択されたサムネイルのオリジナルデータを記録している外部記録媒体である。
【００４７】
図１２は、本第２実施形態による外部記録装置である外部記録媒体２０の動作を説明するためのフローチャートである。外部記録媒体２０では、ＲＦＩＤタグ４０−１により無線信号を受信すると、該無線信号から動作用の電力を取り出して起動し（ステップＳ７０）、識別情報と概要データとを受信したか否かを判断し（ステップＳ７２）、識別情報と概要データとを受信した場合には、受信した識別情報及び概要データと、自己の概要データ及び識別情報とを照合する（ステップＳ７４）。次に、双方が一致したか否かを判断し（ステップＳ７６）、双方が一致しない場合には、当該処理を終了する。一方、双方が一致した場合には、受信した識別情報と概要データとを返信し（ステップＳ７８）、当該処理を終了する。
【００４８】
なお、上述したように、概要データのみを送受信した場合には、複数の外部記録媒体２０に対応するオリジナルデータが存在する可能性がある。例えば、デジタルカメラ３０のユーザが「遠足」に関するデータがどの外部記録媒体２０に保存されているかを知りたい場合、ユーザは、「遠足」という概要データを選択することになる。この場合、コメントタグに「遠足」と登録されているデータが保存されている、外部記録媒体２０が複数存在すれば、該当する外部記録媒体が位置する全ての領域が強調表示される。
【００４９】
上述した第２実施形態によれば、デジタルカメラ３０は、選択されたサムネイルのオリジナルデータを保存している外部記録媒体を識別する識別情報と概要データとを発信し、該識別情報と概要データとに一致した外部記録媒体から返信があると、散在する外部記録媒体２０−１〜２０−８がスルー表示されている画面上に、受信強度に基づいて、該当外部記録媒体との距離に相当する領域を強調表示するようにしたので、ユーザは、所望するオリジナルデータを保存している外部記録媒体２０がどこにあるかを容易に確認することができる。
【００５０】
Ｃ．第３実施形態
次に、本発明の第３実施形態について説明する。
本第３実施形態では、外部記録装置として、内部のバッテリにより動作する外部記録媒体や、携帯電話、ビデオカメラ、デジタルカメラを想定し、該当外部記録装置からバッテリの残量をデジタルカメラ３０に通知させ、デジタルカメラ３０で、受信強度に基づいて、該当外部記録装置２０との距離に相当する領域を強調表示するとともに、該当外部記録装置２０のバッテリの残量を表示するようになっている。
【００５１】
Ｃ−１．第３実施形態の構成
図１５は、本第３実施形態による外部記録媒体の構成を示すブロック図である。なお、図１０に対応する部分には同一の符号を付けて説明を省略する。図において、バッテリ４０−５は、外部記録媒体２０の各部を動作させるための電力を供給する。電池残量検出部４０−６は、所定のタイミングでバッテリ４０−５の残量を検出してＣＰＵ４０−４に供給する。
【００５２】
なお、本第３実施形態では、上述したように、外部記録装置として、外部記録媒体２０に加えて、携帯電話機や、ビデオカメラ、デジタルカメラなどを想定しているが、これら電子機器の構成は、一般的な構成に上記電池残量検出機能や、送信機能を加えたものあるので説明を省略する。以下では、外部記録媒体、携帯電話機や、ビデオカメラ、デジタルカメラを総称して外部記録装置という。なお、管理装置であるデジタルカメラ３０は、図９と同様であるので説明を省略する。
【００５３】
Ｃ−２．第３実施形態の動作
次に、上述した第３実施形態の動作について説明する。
図１６は、本第３実施形態による管理装置であるデジタルカメラ３０の動作を説明するためのフローチャートである。デジタルカメラ３０では、まず、ユーザ操作に応じて、サムネイルを表示部に一覧表示し（ステップＳ８０）、操作部３０−７でいずれかのサムネイルを選択する選択操作が検出されたか否かを判断し（ステップＳ８２）、選択操作が検出されない場合には、ステップＳ４０に戻る。
【００５４】
一方、いずれかのサムネイルを選択する選択操作が検出された場合には、撮像部３０−３からの映像を表示部３０−１にそのまま出力するスルー画像表示とする（ステップＳ８４）。したがって、表示部３０−１には、図１８に示すように、テーブル上に散在する外部記録媒体２０−１〜２０−６、携帯電話２０−１０、ビデオカメラ２０−１１、デジタルカメラ２０−１２が表示される。このとき、近いほど手前（下側）に、遠いほど奥側（上側）に表示される。その後、ＲＡＭ３０−５から、選択されたサムネイルに対応する、外部記録装置の識別情報及び概要データを読み出し（ステップＳ８６）、上記識別情報と概要データとを、ＲＦＩＤリーダ３０−２から送信する（ステップＳ８８）。
【００５５】
なお、前述した第２実施形態と同様に、上述した処理において、サムネイルの一覧からいずれかのサムネイルを選択するのではなく、概要データ（ファイル名や、テキスト文字列）の一覧を表示させ、該概要データの一覧から、所望する概要データを選択するようにしてもよい。この場合、外部記録媒体の識別情報は送信されず、概要データのみが送信されることになる。
【００５６】
次に、いずれかの外部記録装置２０−１〜２０−６、２０−１０、２０−１１、２０−１２から返信があったか否か（送信した識別情報と概要データとを受信したか否か）を判断し（ステップＳ９０）、返信がない場合には、タイムアップしたか否かを判断し（ステップＳ９２）、タイムアップしていない場合には、ステップＳ９０に戻って返信を待つ。そして、返信がなく、タイムアップした場合には、該当外部記録装置が近傍にないと判断し、その旨を表示部３０−１に表示し（ステップＳ９４）、当該処理を終了する。
【００５７】
一方、外部記録装置２０−１〜２０−６、２０−１０〜２０−１２のいずれかから返信があった場合には、識別情報と概要データと電池残量とを受信し（ステップＳ９６）、その受信強度を解析し（ステップＳ９８）、図１９または図２０に示すように、外部記録装置２０−１〜２０−６、２０−１０〜２０−１２がスルー表示された画面上に、受信強度に基づいて、該当外部記録装置との距離に相当する領域１１０を強調表示（斜線部分）するとともに、画面上にバッテリ残量をバー２００で表示する（ステップＳ１００）。
【００５８】
図１９に示す例では、該当外部記録装置のバッテリ残量が所定の閾値（例えば、２５％）以上であることを明示するために、緑色などのバー２００で表示される。一方、図２０に示す例では、該当外部記録装置のバッテリ残量が所定の閾値以下であることを明示するために、赤色などのバー２００で表示される。また、いずれの図においても、強調表示された領域１１０に位置する外部記録装置である携帯電話２−１０、外部記録媒体２０−１のいずれかが選択された概要データを記録している外部記録装置である。
【００５９】
図１７は、本第３実施形態による外部記録装置の動作を説明するためのフローチャートである。外部記録装置２０−１〜２０−６では、ＲＦＩＤタグ４０−１により無線信号を受信すると、該無線信号から動作用の電力を取り出して起動する（ステップＳ１２０）。なお、携帯電話２０−１０、ビデオカメラ２０−１１、デジタルカメラ２０−１２の場合には、ユーザが電源を手動で投入してもよいし、ＲＦＩＤタグ４０−１により無線信号を受信すると、自動的に自己のバッテリをオン状態としてもよい。
【００６０】
次に、識別情報と概要データとを受信したか否かを判断し（ステップＳ１２２）、識別情報と概要データとを受信した場合には、受信した識別情報及び概要データと、自己の識別情報及び概要データとを照合する（ステップＳ１２４）。次に、双方が一致したか否かを判断し（ステップＳ１２６）、双方が一致しない場合には、当該処理を終了する。一方、双方が一致した場合には、電池残量検出部４０−６により電池残量を取得し（ステップＳ１２８）、受信した識別情報と概要データと取得した電池残量とを返信し（ステップＳ１３０）、当該処理を終了する。
【００６１】
なお、上述したように、概要データのみを送受信した場合には、複数の外部記録装置に対応するオリジナルデータが存在する可能性がある。前述した第２実施形態と同様に、例えば、デジタルカメラ３０のユーザが「遠足」に関するデータがどの外部記録装置２０−１〜２０−６、２０−１０〜２０−１２に保存されているかを知りたい場合、ユーザは、「遠足」という概要データを選択することになる。この場合、コメントタグに「遠足」と登録されているデータが保存されている、外部記録装置が複数存在すれば、該当する外部記録装置が位置する全ての領域が強調表示される。
【００６２】
上述した第３実施形態によれば、デジタルカメラ３０は、選択されたサムネイルのオリジナルデータを保存している外部記録装置を識別する識別情報と概要データとを発信し、該識別情報と概要データとに一致した外部記録装置から返信があると、散在する外部記録装置２０−１〜２０−６、２０−１０〜２０−１２がスルー表示されている画面上に、受信強度に基づいて、該当外部記録装置との距離に相当する領域を強調表示するようにしたので、ユーザは、所望するオリジナルデータを保存している外部記録装置がどこにあるかを容易に確認することができる。また、該当外部記録装置のバッテリ残量も表示されるので、バッテリの交換、充電などが必要であるか否かも容易に確認することができる。
【図面の簡単な説明】
【００６３】
【図１】本発明の第１実施形態による外部記録媒体管理システムの構成を示すブロック図である。
【図２】本第１実施形態による管理装置であるメディア再生装置５の構成を示すブロック図である。
【図３】本第１実施形態によるＨＤＤレコーダ１−１〜１−５の構成を示すブロック図である。
【図４】本第１実施形態による管理装置であるメディア再生装置５のＲＡＭ５−６内のデータ構成例を示す概念図である。
【図５】本第１実施形態によるＨＤＤレコーダ１の記録媒体１０−１２内のデータ構成例を示す概念図である。
【図６】本第１実施形態による管理装置であるメディア再生装置５の動作を説明するためのフローチャートである。
【図７】本第１実施形態による外部記録装置であるＨＤＤレコーダ１の動作を説明するためのフローチャートである。
【図８】本発明の第２実施形態による外部記録媒体管理システムの構成を示すブロック図である。
【図９】本第２実施形態によるデジタルカメラの略構成を示すブロック図である。
【図１０】本第２実施形態による外部記録媒体２０−１〜２０−８の構成を示すブロック図である。
【図１１】本第２実施形態による管理装置であるデジタルカメラ３０の動作を説明するためのフローチャートである。
【図１２】本第２実施形態による外部記録装置である外部記録媒体２０の動作を説明するためのフローチャートである。
【図１３】本第２実施形態によるデジタルカメラ３０での表示例を示す模式図である。
【図１４】本第２実施形態によるデジタルカメラ３０での表示例を示す模式図である。
【図１５】本発明の第３実施形態による外部記録媒体の構成を示すブロック図である。
【図１６】本第３実施形態による管理装置であるデジタルカメラ３０の動作を説明するためのフローチャートである。
【図１７】本第３実施形態による外部記録装置の動作を説明するためのフローチャートである。
【図１８】本第３実施形態によるデジタルカメラ３０での表示例を示す模式図である。
【図１９】本第３実施形態によるデジタルカメラ３０での表示例を示す模式図である。
【図２０】本第３実施形態によるデジタルカメラ３０での表示例を示す模式図である。
【符号の説明】
【００６４】
１、１−１〜１−５  ＨＤＤレコーダ
２−１〜２−５  ＬＥＤ
３−１〜３−５  スピーカ
５  メディア再生装置
５−２  表示部
５−４  無線部
５−５  ＲＯＭ
５−６  ＲＡＭ
５−６−１  識別情報
５−６−２  サムネイル
５−６−３  概要データ
５−７  表示制御部
５−８  タッチパネル
５−９  操作部
５−１０  カードインターフェース部
５−１１  電源制御部
５−１２  電源
５−１３  ＣＰＵ
１０−１  無線部
１０−２  チューナ部
１０−３  管理情報記憶部
１０−３−１  識別情報
１０−４  制御部
１０−１５−１  ＬＥＤ
１０−１４−１  スピーカ
１０−５  ＭＰＥＧ−２（ＴＳ）復号化回路
１０−６  映像処理部
１０−７  音声処理部
１０−８  ＡＶ  Ｉ／Ｏ
１０−９  操作部
１０−１０    書き込み／読み出し処理部
１０−１１  ＤＶＤメディア
１０−１２  記録媒体（ＨＤＤ）
１０−１３  ＲＡＭ
１０−１４  スピーカ駆動部
１０−１５  ＬＥＤ駆動部
１０−１６  Ｉｒ通信処理部
１０−１６−１  赤外線発光ＬＥＤ
１０−１６−２  受光部
２０−１〜２０−８  外部記録媒体
３０  デジタルカメラ
３０−１  表示部
３０−２  ＲＦＩＤリーダ
３０−３  撮像部
３０−４  ＲＯＭ
３０−５  ＲＡＭ
３０−５−１  識別情報
３０−５−２  サムネイル
３０−５−３  概要データ
３０−６  表示制御部
３０−７  操作部
３０−８  カードインターフェース部
３０−９  ＣＰＵ
４０−１  ＲＦＩＤタグ
４０−４  ＣＰＵ
４０−２  ＲＯＭ
４０−２−１  識別情報
４０−３  ＲＡＭ
４０−４  ＣＰＵ
４０−５  バッテリ
４０−６  電池残量検出部
２０−１０  携帯電話
２０−１１  ビデオカメラ
２０−１２  デジタルカメラ
【図１】
0005120609.tif 000002
【図２】
0005120609.tif 000003
【図３】
0005120609.tif 000004
【図４】
0005120609.tif 000005
【図５】
0005120609.tif 000006
【図６】
0005120609.tif 000007
【図７】
0005120609.tif 000008
【図８】
0005120609.tif 000009
【図９】
0005120609.tif 000010
【図１０】
0005120609.tif 000011
【図１１】
0005120609.tif 000012
【図１２】
0005120609.tif 000013
【図１３】
0005120609.tif 000014
【図１４】
0005120609.tif 000015
【図１５】
0005120609.tif 000016
【図１６】
0005120609.tif 000017
【図１７】
0005120609.tif 000018
【図１８】
0005120609.tif 000019
【図１９】
0005120609.tif 000020
【図２０】
0005120609.tif 000021